(57)【要約】  【課題】各種の物品を天板の縁部近傍に安定性良く配置することを、美観を損なうことなく行えるようにする。  【手段】天板１の下面にブロック体９が下向きに突設しており、このブロック体９は、脚２の上面に固定された連結体７にボルト２３で締結されている。このため、天板と脚１との間には空間が空いている。各種の物品を支持するブラケット手段３は、前後の連結体７の間に入り込む嵌入部２９を備えており、この嵌入部２９と連結体７とブロック体９とをボルト２３で共締めしている。【選択図】      図１１
2005087626.tif 000002
【特許請求の範囲】
【請求項１】
天板と、この天板の縁部を支持する脚又は袖キャビネットとを備えており、前記天板を脚又は袖キャビネットの上面から突出した受け部材で支持することにより、天板と脚又は袖キャビネットとの間に空間が空いており、更に、天板の縁部箇所の近傍にはブラケット手段を介して物品を配置可能となっている机であって、
前記ブラケット手段は、前記天板と脚又は袖キャビネットとの間の空間に入り込む嵌入部を備えており、この嵌入部を前記受け部材又は脚又は袖キャビネット若しくは天板に固定している、
机。
【請求項２】
前記天板には、前記受け部材に上方から嵌合する下向き突部を設けており、受け部材と下向き突部と前記ブラケット手段の嵌入部とを水平上に延びるボルトで共締めしている、
机。
【発明の詳細な説明】
【技術分野】
【０００１】
本発明は、机（テーブル）に関するものである。
【背景技術】
【０００２】
机は、天板とその支持手段とを必須の構成要素として、バックパネルやサイドパネル、或いは幕板等の付属物がオプションとして取付けられている。天板の支持手段としては一般に脚が多用されているが、いずれか一方の脚に代えて袖キャビネットを使用したり、左右の袖キャビネットで天板を支持したりすることも行われている。
【発明の開示】
【発明が解決しようとする課題】
【０００３】
ところで、机では多くの物品が使用される。例えば、液晶ディスプレイ（モニター）を設置する場合もあるし、棚を設置する場合もある。このように物品類を机上に設置する場合、従来は、机上にそのまま載せていたが、これでは机上のスペースを有効利用できないという問題があった。また、ディスプレイ類やモニター類の場合、人が見にくい場合もあった。
【０００４】
本発明は、このような現状を改善することを課題とするものである。
【課題を解決するための手段】
【０００５】
本願発明者たちは、天板と、この天板の縁部を支持する脚又は袖キャビネットとを備えた机において、前記天板を脚又は袖キャビネットの上面から突出した受け部材で支持することにより、天板と脚又は袖キャビネットとの間に空間が空いた形態のものを創案した。
【０００６】
そして、このような天板と脚又は袖キャビネットとの間に空間が空いた形態の机において、天板と脚又は袖キャビネットとの間の空間を利用すべく本願発明を完成させるに至った。
【０００７】
すなわち本願発明では、天板の縁部箇所の近傍にはブラケット手段を介して物品を配置可能とするもので、前記ブラケット手段は、前記天板と脚又は袖キャビネットとの間の空間に入り込む嵌入部を備えており、この嵌入部を前記受け部材又は脚又は袖キャビネット若しくは天板に固定している。
【０００８】
請求項２の発明では、前記天板には、前記受け部材に上方から嵌合する下向き突部を設けており、受け部材と下向き突部と前記ブラケット手段の嵌入部とを水平上に延びるボルトで共締めしている。
【発明の効果】
【０００９】
ところで、机の縁部の近くに物品を配置する場合、天板の縁をクランプするブラケットを介して物品を配置することが考えられる。しかし、これでは支持強度が低いという問題がある。
【００１０】
他方、例えば机上用棚の取付け手段として、天板の左右縁部に上向き開口の穴を空けて、棚に設けた左右の足を前記穴に差し込むことが行われているが、これでは棚を取り外すと穴が露出して体裁が悪く、さりとて穴をキャップで塞いでおくとキャップを紛失する虞がある。
【００１１】
これらに対して本願発明のように構成すると、ブラケット手段は天板と脚又は袖キャビネットとの間の空間を利用して取付けるものであるため、強固に取付けることができて重量物でも安定した状態で支持することができ、また、もともと天板と脚又は袖キャビネットとの間に空いている空間を利用してブラケット手段を取り付けるものであるから、ブラケット手段を取り外しても美観の問題やキャップの紛失といった問題が発生することはない。
【００１２】
請求項２のように構成すると、天板を脚又は袖キャビネットに固定するボルトを利用してブラケット手段を固定するものであるため、すなわち天板の固定用ボルトをブラケット手段の固定に兼用できるため、それだけ取付け構造を簡素化できる利点がある。
【発明を実施するための最良の形態】
【００１３】
次に、本願発明の実施形態を図面に基づいて説明する。
【００１４】
図１は概略斜視図であり、机は、平面視矩形状の天板１と、その左右両端を支持する横向きＨ字状の脚２とを備えている。天板２の一側端部の近傍にはブラケット手段３を設け、このブラケット手段３に物品の一例としての液晶モニター（液晶ディスプレイ）４を取り付けている。
【００１５】
(1).机の基本構成
先ず、本願発明の具体例の説明に先立って、机の基本的構造を図２〜図８に基づいて説明する。以下に説明する基本構造は、ブラケット手段３を取付けない仕様の構造である。
【００１６】
図２のうち（ａ）は天板２を二点鎖線で示した机の全体平面図、（ｂ）は正面図、（ｃ）は側面図である。これらの図に示すように、左右の脚３の上面には、請求項に記載した受け部材の一例として前後一対の連結手段５が配置されており、各連結手段５に天板１を固定すると共に、左右の連結手段５で横長ビーム６を連結している。
【００１７】
なお、天板２は木製であり、脚２を構成する上水平フレーム２ａ、支柱部２ｂ、下水平フレーム２ｃはそれぞれアルミの押し出し加工品から成っている（もちろん、両者とも他の素材製でも良い）。
【００１８】
図３は図１（ａ）の III-III視一部切欠き要部正面図、図４は図１（ａ）のIV−IV視部切欠き要部断面図、図５は連結手段５を構成する各部品の斜視図、図６は脚２における上水平フレーム２ａの正断面図である。脚２の水平フレーム２ｂは略Ｔ字状の中空状に形成されている。
【００１９】
前記連結手段５は、所定高さの連結体７と、板状の台座体８と、机天板２の下面に固定した下向き突出する固定用ブロック体９と、一対のサポートピン１０と、複数のボルト等から構成されている。固定用ブロック体９は請求項に記載した下向き突部の一例である。
【００２０】
台座体８はアルミダイキャスト製であり、その中央部は前記脚体２の上水平フレーム２ａに皿ネジ１１で締結されている。また、台座体８のコーナー部には、連結体７を固定するための六角穴付きボルト１２が嵌まっている。
【００２１】
皿ねじ１１及びボルト１２は、脚２の上水平フレーム２ａに嵌入したインナーブロック１９にねじ込まれている。また、脚２の上水平フレーム２ａの前後両端はキャップ（図示せず）で保護されている。
【００２２】
固定用ブロック体９はアルミダイキャスト製であり、平面視略矩形状の本体９ａとその上端に一体的に連設された取付け板部９ｂとからなる。取付け板部９ｂの上面には、机天板２の下面に形成された位置決め凹所１３に嵌入できる一対の位置決め用ボス９ｃが形成されている。
【００２３】
固定用ブロック体９の本体９ａには、その下部側に下向きに開放された大径孔１４が穿設されており、この大径孔１４の上端に連通して小径のボルト取付け孔１５が上面にまで貫通形成されている。
【００２４】
前記大径孔１５から固定用ボルト１６が上向きに挿入されており、この固定用ボルト１６の雄ねじ部はボルト取付け孔１５を貫通して上向きに突出し、机天板１に埋設された鬼目ナット１７にねじ込まれている。
【００２５】
固定用ブロック体９における本体９ａの外側の一対の対向する縦側面には、サポートピン１０に形成した截頭円錐状（テーパ状）頭部１０ａが当接し得る截頭円錐状（テーパ状）の当接部１８が、前記大径１４に連通するように凹み形成されている。
【００２６】
連結体７はアルミダイキャスト製であり、基部７ａと、該基部７ａから上面が水平に延びるアーム部７ｂとからなる。基部７ａの上面には、前記固定用ブロック体９の取付け板部９ｂが嵌まる凹所２０と、これに連通し、前記本体９ａが嵌入可能な四角状の取付け凹所２１とが形成されている。さらに、一対のサポートピン１０がそれぞれ水平方向に嵌入可能な横孔２２が取付け凹所２１に連通するように穿設形成されている。
【００２７】
前記各サポートピン１０は、円柱状胴部１０ｂに回転不能に嵌まっている。一対のサポートピン１０のうち前後外側に位置したサポートピン１０には、その軸心に沿って貫通した貫通穴１０ｃが空いており、この貫通穴１０ｃに、締結ボルト（六角穴付きボルト）２３が嵌まっている。他方の、サポートピン１０には、締着ボルト２３が螺合する雌ねじ穴が形成されている。
【００２８】
締結ボルト２３を他方のサポートピン１０にねじ込むと、くさび作用により、固定用ブロック体９は連結体７に固定される。そして、天板１と脚２との間には、連結体７と台座体８との高さ寸法の和（例えば３０〜６０ｍｍ程度）の上下幅の空間が空いている。
【００２９】
前記連結体７におけるアーム部７ｂの上面は基部７ａの上面と同一平面上にあり、またアーム部７ｂの下面は前記基部７ａに近い側の上下寸法が大きく、先端（自由端）に行くに従って上下高さ寸法が小さくなるように正面視で略三角形状に形成されている。
【００３０】
横長ビーム６の端部は、前記各連結体７のアーム部７ｂとその下方に配置する補助アーム体２４とで挟持されている（横長ビーム６を使用しない場合は、補助アーム２４は使用しない）。
【００３１】
図７（ａ）は補助アーム２４の縦断正面図、図７（ｂ）は補助アーム２４の側断面図、図８は図５のVIII−VIII視断面図である。横長ビーム６はアルミ押出材であり、前後に複数の突条部分６ａを有し、且つ複数の断面中空部６ｂが形成された断面形状である。そして、補助アーム２４とアーム部７ｂとは、横長ビーム６にきっちり嵌合する断面形状になっている。
【００３２】
連結体７のアーム部７ｂと補助アーム２４とは複数のボルト２８で締結されている。また、連結体７のアーム部７ｂと補助アーム２４とには、横長ビーム６に形成された穴（図示せず）に嵌まる位置決め用ボス２６を形成している。更に、連結体７のアーム部７ｂと補助アーム２４とは、ボルト２７で天板１の下面に固定されている。
【００３３】
(2).本願発明の第１実施形態（図９〜図１４）
次に、図９〜図１２に基づいて第１実施形態を説明する。なお、この実施形態は、図１に表示したものの具体的構成である。
【００３４】
図９は平断面図、図１０（ａ）はブラケット手段３の分離斜視図、図１０（ｂ）は組み立て状態のブラケット手段を（ａ）のｂ−ｂ線で破断した断面図、図１１（ａ）は要部の分離斜視図、図１１（ｂ）は別例図、図１２は側面図、図１３は図９のXIII−XIII視断面図、図１４は別例図である。
【００３５】
ブラケット手段３は、前後連結手段５の間において天板１と脚２との間の空間に入り込む嵌入部２９と、嵌入部２９から立ち上がった２本の支柱３０と、支柱３０の上端に固着した取付け板３１とを備えている。
【００３６】
嵌入部２９は板金製であり、その一部が机の外側にはみ出ており、このはみ出た部分から支柱３０が立ち上がっている。また、嵌入部２９は板金製（ブロック状としたり、合成樹脂製としても良い）で机の内部に向けて開口した略箱状の形態であり、その前後側板には補強板３２を固着している。
【００３７】
嵌入部２９は、補強板３２が前後連結体７の側面に密着するような前後幅寸法設定している。また、上下高さは、天板１と脚２との間の空間の高さ寸法と略同じ寸法に設定している。
【００３８】
そして、図１３に示すように、嵌入部２９の前後側板には、天板１を脚２に固定するための締結ボルト２３が螺合する雌ねじ穴３３を形成し、締結ボルト２３にて、連結体７と固定ブロック９と嵌入部２９とを一体に締結している。従って、ブラケット手段３を取付ける場合は、両方のサポートピン１０とも雌ねじは形成されていない。
【００３９】
雌ねじ穴３３は嵌入部２９のバーリング部に形成しているが、図１４に示すように、前後側板の内面にナット３４を溶接等によって固着しておいたり、補強板３２に雌ねじ穴を形成したりしても良い。なお、図１１の符号１０ｄは回り止め用リブであり、連結体７の横穴２２には、リブ１０ｄが嵌まる溝２２ａが形成されている。
【００４０】
嵌入部２９を形成するに当たっては、図１１（ｂ）に示すように、側板２９ａ′を有する本体ケース２９ａに底板２９ｂと上板２９ｃとを固着した態様とすることも可能である。
【００４１】
支柱３０の取付け構造は図１０（ｂ）に明示されている。すなわち、嵌入部２９に筒体３５を固着し、この筒体３５に下方からねじ挿入したボルト３６を支柱３０の下向きねじ穴にねじ込むことにより、支柱３０を嵌入部２９から立ち上げている。嵌入部２９には３個の筒体３５を設けているが、これは用途によって支持態様を選択できるようにするためである。
【００４２】
嵌入部２９のうち机の外側に露出する部分は外側に向けて間隔が狭まる台形状に形成されているが、これは、人や者の引っ掛かりを防止するためである（コーナーを平面視で丸く湾曲させても良い）。
【００４３】
液晶モニター４は、中間ブラケット３８を介して取付け板３１にビス止めされている。このため、取付け板３１にはビス穴３７が空いている。液晶モニター４は、上下方向又は水平方向若しくは両方向に首振り可能となるように（すなわち姿勢を変更できるように）取付け板３１に取付けることも可能である。
【００４４】
本実施形態のようにブラケット手段３を連結体７に固定する場合、ブラケット手段３に、手前側の連結体７の前面及び奥側の連結体の背面に重なる板状の嵌入部を形成して、これを締結用ボルト２３で共締めしても良い。この場合は、他方のサポートピン２０には雌ねじ穴が形成されることになる。
【００４５】
締結用ねじ２３は机の前後方向から回転操作されるので、例えば長さの長い六角レンチ（或いは締結用ねじ２３として六角ボルトを使用する場合はソケットレンチ）を使用した極めて簡単にねじ込み・ねじ戻し操作を行える利点がある。換言すると、ブラケット手段３の取付け・取り外しをごく簡単に行える。
【００４６】
(3).他の実施形態
図１５以下では他の実施形態を示している。このうち図１５に示すのは他の使用形態を示す第２実施形態であり、（ａ）では嵌入部２９から支柱３０を下方に垂下し、この支柱３０に棚板３９を固定している。棚板３９には物品の一例としてのプロジェクター４０を載せているが、もちろん、様々の物品を載置できる。支柱３０はボルト３６で落下不能に保持されている。
【００４７】
（ａ）に二点鎖線で示すように、支柱３０を机上に立設し、その上端に棚板３９を固定することも可能である。また、（ｂ）に示すように、いずれかの筒体３５に抜き差し自在で回転自在に嵌まる足体４１にアーム４２を一体に設け、アーム４２に小テーブル４３を固定することも可能である。この場合は、小テーブル４３は天板１の上方の空間で水平旋回自在に保持されるため便利である。
【００４８】
図１６では支柱３０の支持手段の別例である第３実施形態を示している。このうち（ａ）に示す例では、筒体３５の下端にボルト３６の頭が嵌まる大径部３５ａを形成しており、他方、（ｂ）に示す例では、筒体３５の上下両端に大径部３５ａを形成している。これらの例ではボルト３６の頭が露出しないため体裁が良い。また、大径部３５ａに支柱３０を嵌め込むことにより、支柱３０の安定性を格段に向上させることができる。支柱３０を嵌入部２９にねじ込んだり、支柱３０を嵌入部２９の側面にねじ止めしたりすることも可能である。
【００４９】
なお、第１実施形態及び図１６（ａ）の場合において、支柱３０に、筒体３５に嵌まる小径部を形成することも可能であり、この場合も支柱３０の安定性を格段に向上させることができる。
【００５０】
図１７では、嵌入部２９の固定手段の別例である第４実施形態を示している。すなわちこの実施形態では、嵌入部２９の下面に、脚２の上水平フレーム２ａを下方から挟圧する下クランプ部４４をねじ４５で固定している。また、支柱３０は止めねじ４６等の押さえ手段にて高さ調節自在と成している。支柱３０に棚板等の様々の物品受け手段を取付けることができる。
【００５１】
嵌入部２９の固定手段は、この実施形態のようなクランプ方式とすることも可能である。また、嵌入部２９を天板１の下面にねじで固定することも可能である。更に、安定性さえ確保できれば、嵌入部２９を脚４の上水平フレーム２ａに単に引っ掛けただけの構成とすることも可能である。
【００５２】
図１８に示す第５実施形態では、嵌入部２９に上下長手の縦フレーム４７を固着し、この縦フレーム４７に複数段の棚板４８を高さ変更可能に取付けている。縦フレーム４７は天板１の上下両方に延びており、このため収容能力に優れている。一点鎖線で示すように、縦フレーム４７を机の内側に配置することも可能である。
【００５３】
図１９に示す第６実施形態では、嵌入部２９を机の内部から天板１と脚２との間の空間に嵌め入れている。この場合は、棚３９のような付属品は机の内部（天板１の下方の空間）に配置することになる。
【００５４】
机を左右に併設したり、机を壁際に設置したりすると机上面の上方や脚２の外側に付属部を配置できないが、本実施形態ではブラケット手段３も付属品も他の机や壁等と干渉しないので、机のレイアウトの自走性を向上できる利点がある。なお、ブラケット手段３の取付け構造は第１実施形態と同じである（勿論、他の形態にしても良い）。
【００５５】
(5).その他
本発明は上記の実施形態の他にも様々に具体化することができる。例えばブラケット手段の具体的な構成は支持する物品に合わせて様々に具体化することができる。ブラケット手段で支持する物品にも制限はなく、例えばテレビ等の電器製品、ホワイトボードや展示パネル等の板状体なども支持できる。
【００５６】
脚は側面視横向きＨ字状の側面形状には限らず、側面視口字状や門形など、様々の形態に具体化できる。また、天板も平面視矩形状には限らず、平面視Ｌ字状や小判形など、さまざまの形態のものに適用できる。
【図面の簡単な説明】
【００５７】
【図１】机の概略斜視図である。
【図２】机の平面図、正面図、側面図である。
【図３】図１（ａ）の III-III視一部切欠き要部正面図である。
【図４】図１（ａ）のIV−IV視部切欠き要部断面図である。
【図５】連結手段を構成する各部品の斜視図である。
【図６】脚における上水平フレームの正断面図である。
【図７】補助アームの断面図である。
【図８】図５のVIII−VIII視断面図である。
【図９】第１実施形態の平断面図である。
【図１０】（ａ）はブラケット手段３の分離斜視図、（ｂ）は組み立て状態のブラケット種を（ａ）のｂ−ｂ線で破断した断面図である。
【図１１】（ａ）は要部の分離斜視図、図１１（ｂ）は別例図である。
【図１２】側面図である。
【図１３】図９のXIII−XIII視断面図である。
【図１４】別例図である。
【図１５】第２実施形態を示す図である。
【図１６】第３実施形態を示す図である。
【図１７】第４実施形態を示す図である。
【図１８】第５実施形態を示す図である。
【図１９】第６実施形態を示す図である。
【符号の説明】
【００５８】
１  天板
２  脚
２ａ  脚の上水平フレーム
３  ブラケット手段
５  受け部材の一例としての連結手段
６  横長ビーム
１０  サポートピン
２３  締結用ボルト
２９  嵌入部
３０  支柱
３１  取付け板
３３  雌ねじ穴
【図１】
2005087626.tif 000003
【図２】
2005087626.tif 000004
【図３】
2005087626.tif 000005
【図４】
2005087626.tif 000006
【図５】
2005087626.tif 000007
【図６】
2005087626.tif 000008
【図７】
2005087626.tif 000009
【図８】
2005087626.tif 000010
【図９】
2005087626.tif 000011
【図１０】
2005087626.tif 000012
【図１１】
2005087626.tif 000013
【図１２】
2005087626.tif 000014
【図１３】
2005087626.tif 000015
【図１４】
2005087626.tif 000016
【図１５】
2005087626.tif 000017
【図１６】
2005087626.tif 000018
【図１７】
2005087626.tif 000019
【図１８】
2005087626.tif 000020
【図１９】
2005087626.tif 000021